(57)【特許請求の範囲】
【請求項１】
互いに並列に配置され、用紙が載置される第１載置部および第２載置部を備えた給紙装置であって、
前記第１載置部および前記第２載置部を内部に収納する筐体と、
用紙が搬送される用紙搬送路と、
前記第１載置部から前記用紙搬送路へ用紙を給紙する第１給紙部と、
前記第２載置部から前記用紙搬送路へ用紙を給紙する第２給紙部と、
前記第１載置部を係止する第１係止部と、
前記第２載置部を係止する第２係止部と、
前記筐体の前面に設けられ、操作することで前記第１載置部および／または前記第２載置部が前記筐体の外部に引き出される単一の操作部とを備え、
前記操作部は、前記第１載置部および前記第２載置部に対して、共通に用いられ、
前記第１載置部は、前記筐体に対して引き出しを規制されたロック状態と、前記筐体に対して引き出し自在とされた解除状態とを、前記第１係止部の係止によって切り替えられ、
前記第２載置部は、前記ロック状態と前記解除状態とを、前記第２係止部の係止によって切り替えられる構成とされ、
前記第１給紙部が給紙している際には、前記第１載置部が前記ロック状態とされて、前記第２載置部が前記解除状態とされ、前記第２給紙部が給紙している際には、前記第１載置部が前記解除状態とされて、前記第２載置部が前記ロック状態とされること
を特徴とする給紙装置。
【請求項２】
請求項１に記載の給紙装置であって、
前記第１係止部は、前記第１載置部と前記筐体とを係止し、
前記第２係止部は、前記第２載置部と前記筐体とを係止する構成とされていること
を特徴とする給紙装置。
【請求項３】
請求項１に記載の給紙装置であって、
前記第１係止部は、前記第１載置部と前記操作部とを係止し、
前記第２係止部は、前記第２載置部と前記操作部とを係止する構成とされていること
を特徴とする給紙装置。
【請求項４】
請求項１から請求項３までのいずれか１つに記載の給紙装置であって、
用紙が載置される第３載置部と、
前記第３載置部から前記用紙搬送路へ用紙を給紙する第３給紙部とを備え、
前記第３給紙部が給紙している際には、前記第１載置部および前記第２載置部が前記解除状態とされること
を特徴とする給紙装置。
【請求項５】
請求項１から請求項４までのいずれか１つに記載の給紙装置であって、
前記第１載置部および前記第２載置部に載置された用紙の枚数をそれぞれ検知する枚数検知部を備え、
前記第１載置部および前記第２載置部は、前記枚数検知部によって検知された枚数が予め設定された規定枚数以上の場合、前記ロック状態とされ、前記枚数検知部によって検知された枚数が前記規定枚数未満の場合、前記解除状態とされること
を特徴とする給紙装置。
【請求項６】
請求項１から請求項５までのいずれか１つに記載の給紙装置を備えた画像形成装置。
【発明の詳細な説明】
【技術分野】
【０００１】
本発明は、用紙が載置される載置部が並列に配置された給紙装置および画像形成装置に関する。
【背景技術】
【０００２】
画像形成装置においては、利用される機会が増えていることから、用紙の補充の回数を減らすために、用紙の収納量の増加が期待されている。また、画像形成中の用紙切れを考慮して、互いに並設された給紙位置と予備位置とに用紙を積載するタンデムタイプの給紙装置が提案されている。このようなタンデムタイプの給紙装置では、給紙用の用紙を収容するメイン収容部と、予備の用紙を収容するサブ収容部との間の隙間が狭い場合、用紙を補充する際に、隣接する収容部に阻害されて作業性が悪くなる。そこで、上述した問題に対して、メイン収容部とサブ収容部とをそれぞれ単独で引き出せるようにして、作業性を向上させた構成が知られている（例えば、特許文献１参照。）。
【先行技術文献】
【特許文献】
【０００３】
【特許文献１】特開平１１−１５７６７２号公報
【発明の概要】
【発明が解決しようとする課題】
【０００４】
特許文献１に記載の給紙装置は、並列に配置されたメイン用紙収容部とサブ用紙収容部とを備えており、サブ用紙収容部の引き出し量がメイン用紙収容部の引き出し量よりも多い構造とされている。そして、メイン用紙収容部のセット時に、両収容部間の隙間を閉鎖するように張り出した遮蔽部材が設けられている。
【０００５】
しかしながら、特許文献１に記載の給紙装置において、サブ用紙収容部は、用紙の給紙に用いられず、メイン用紙収容部へ用紙を移送するだけとされている。そのため、サブ用紙収容部からメイン用紙収容部へ用紙を移送する際に、用紙の搬送不良が生じる虞がある。また、メイン用紙収容部とサブ用紙収容部とでは、用紙が共通しているため、異なるサイズの用紙を収容する構成とすることができないという課題がある。
【０００６】
ところで、タンデムタイプの給紙装置は、特許文献１に記載の給紙装置の他にも、例えば、左右に並べて配置されたトレイを、それぞれ独立して引き出すことが出来る左右独立引き出しタイプなどがあり、左右のトレイからそれぞれ給紙することができる。しかしながら、左右独立引き出しタイプでは、いずれのトレイから給紙しているかを、ユーザが確認して引き出さなければ、用紙を補充することができないという課題がある。
【０００７】
本発明は、上記の課題を解決するためになされたものであり、用紙を給紙している際でも、給紙を止めることなく用紙を補充することができる給紙装置および画像形成装置を提供することを目的とする。
【課題を解決するための手段】
【０００８】
本発明に係る給紙装置は、互いに並列に配置され、用紙が載置される第１載置部および第２載置部を備えた給紙装置であって、前記第１載置部および前記第２載置部を内部に収納する筐体と、用紙が搬送される用紙搬送路と、前記第１載置部から前記用紙搬送路へ用紙を給紙する第１給紙部と、前記第２載置部から前記用紙搬送路へ用紙を給紙する第２給紙部と、前記第１載置部を係止する第１係止部と、前記第２載置部を係止する第２係止部と、前記筐体の前面に設けられ、操作することで前記第１載置部および／または前記第２載置部が前記筐体の外部に引き出される単一の操作部とを備え、前記操作部は、前記第１載置部および前記第２載置部に対して、共通に用いられ、前記第１載置部は、前記筐体に対して引き出しを規制されたロック状態と、前記筐体に対して引き出し自在とされた解除状態とを、前記第１係止部の係止によって切り替えられ、前記第２載置部は、前記ロック状態と前記解除状態とを、前記第２係止部の係止によって切り替えられる構成とされ、前記第１給紙部が給紙している際には、前記第１載置部が前記ロック状態とされて、前記第２載置部が前記解除状態とされ、前記第２給紙部が給紙している際には、前記第１載置部が前記解除状態とされて、前記第２載置部が前記ロック状態とされることを特徴とする。
【０００９】
本発明に係る給紙装置では、前記第１係止部は、前記第１載置部と前記筐体とを係止し、前記第２係止部は、前記第２載置部と前記筐体とを係止する構成としてもよい。
【００１０】
本発明に係る給紙装置では、前記第１係止部は、前記第１載置部と前記操作部とを係止し、前記第２係止部は、前記第２載置部と前記操作部とを係止する構成としてもよい。
【００１１】
本発明に係る給紙装置では、用紙が載置される第３載置部と、前記第３載置部から前記用紙搬送路へ用紙を給紙する第３給紙部とを備え、前記第３給紙部が給紙している際には、前記第１載置部および前記第２載置部が前記解除状態とされる構成としてもよい。
【００１２】
本発明に係る給紙装置では、前記第１載置部および前記第２載置部に載置された用紙の枚数をそれぞれ検知する枚数検知部を備え、前記第１載置部および前記第２載置部は、前記枚数検知部によって検知された枚数が予め設定された規定枚数以上の場合、前記ロック状態とされ、前記枚数検知部によって検知された枚数が前記規定枚数未満の場合、前記解除状態とされる構成としてもよい。
【００１３】
本発明に係る画像形成装置は、本発明に係る給紙装置を備えていることを特徴とする。
【発明の効果】
【００１４】
本発明によると、第１載置部および第２載置部のうち、一方は、用紙を給紙していないので、解除状態で引き出し自在とされ、他方は、用紙を給紙しているので、ロック状態で引き出しが規制される。従って、用紙を給紙している際でも、第１載置部および第２載置部の一方を引き出すことができ、給紙を止めることなく用紙を補充することができる。
【図面の簡単な説明】
【００１５】
【図１】本発明の第１実施形態に係る画像形成装置の概略側面図である。
【図２】本発明の第１実施形態に係る給紙装置の外観正面図である。
【図３】図２から前パネルを取り外した状態を示す内部図である。
【図４】本発明の第１実施形態に係る給紙装置の概略上面図である。
【図５Ａ】図４の矢符Ａ−Ａでの断面図である。
【図５Ｂ】第１作動部を作動させた状態を示す説明図である。
【図６Ａ】連結された連結機構を示す概略図である。
【図６Ｂ】離間した連結機構を示す概略図である。
【図７Ａ】第１実施形態において、第１載置部が解除状態とされた際に、操作部を操作した状態を示す説明図である。
【図７Ｂ】第１実施形態において、第１載置部がロック状態とされた際に、操作部を操作した状態を示す説明図である。
【図８Ａ】第１実施形態において、筐体から第１載置部が引き出された状態を示す説明図である。
【図８Ｂ】第１実施形態において、筐体から第１載置部および第２載置部が引き出された状態を示す説明図である。
【図９】筐体の変形例を示す概略外観図である。
【図１０】本発明の第１実施形態に係る給紙装置で用紙を給紙する際の処理を示す処理フロー図である。
【図１１】本発明の第２実施形態に係る給紙装置での処理を示す処理フロー図である。
【図１２】本発明の第３実施形態に係る給紙装置から前パネルを取り外した状態を示す内部図である。
【図１３】本発明の第３実施形態に係る給紙装置の概略上面図である。
【図１４】図１３の矢符Ｂ−Ｂでの断面図である。
【図１５Ａ】第３実施形態において、第１載置部が解除状態とされた際に、操作部を操作した状態を示す説明図である。
【図１５Ｂ】第３実施形態において、第１載置部がロック状態とされた際に、操作部を操作した状態を示す説明図である。
【図１６】第３実施形態において、筐体から第１載置部が引き出された状態を示す説明図である。
【発明を実施するための形態】
【００１６】
（第１実施形態）
以下、本発明の実施の形態に係る画像形成装置について、図面を参照して説明する。
【００１７】
図１は、本発明の第１実施形態に係る画像形成装置の概略側面図である。
【００１８】
画像形成装置１は、原稿を読み取って用紙に画像形成する複写機能を有しており、画像読取部２０、画像読取部２０の上側に設けられた原稿搬送部２３、画像読取部２０の下側に設けられた画像形成部３、給紙装置３０、および積載トレイ１３を備えている。
【００１９】
原稿搬送部２３は、画像読取部２０に対して開閉自在に支持されている。原稿搬送部２３が開かれると、画像読取部２０の上面に設けられた原稿載置台２１が開放され、原稿載置台２１に原稿を手置きで置くことができるようになっている。また、画像読取部２０は、原稿載置台２１とは別に、上面に設けられた原稿通過部２２が設けられ、原稿搬送部２３は、載置された原稿を原稿通過部２２の上に自動で搬送する。画像読取部２０は、原稿載置台２１に載置された原稿または原稿搬送部２３から搬送された原稿を読み取って画像データを生成する。
【００２０】
画像形成装置１では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成部３には、４種類のトナー像を形成するための現像装置７、感光体ドラム４、ドラムクリーニング装置８、および帯電器５が４つずつ設けられ、それぞれがブラック、シアン、マゼンタ、およびイエローに対応付けられ、４つの画像ステーションが構成されている。
【００２１】
ドラムクリーニング装置８は、感光体ドラム４の表面の残留トナーを除去および回収する。帯電器５は、感光体ドラム４の表面を所定の電位に均一に帯電させる。光走査装置６は、感光体ドラム４の表面を露光して静電潜像を形成する。現像装置７は、感光体ドラム４の表面の静電潜像を現像して、感光体ドラム４の表面にトナー像を形成する。上述した一連の動作によって、各感光体ドラム４の表面に各色のトナー像が形成される。
【００２２】
感光体ドラム４の上側には、中間転写ベルトユニット９が配置されている。中間転写ベルトユニット９は、４つの中間転写ローラ９ａ、中間転写ベルト９ｂ、中間転写ベルト駆動ローラ９ｃ、中間転写ベルト従動ローラ９ｄ、およびベルトクリーニング装置９ｆで構成されている。中間転写ベルト９ｂは、中間転写ベルト駆動ローラ９ｃ、中間転写ベルト従動ローラ９ｄ、および４つの中間転写ローラ９ａに張架して支持されている。中間転写ベルト駆動ローラ９ｃは、図示しない駆動部に接続されて回転駆動し、中間転写ベルト９ｂを矢符Ｃの方向へ周回移動させる。４つの中間転写ローラ９ａは、中間転写ベルト９ｂを介して、それぞれ対応する感光体ドラム４に押圧されている。中間転写ベルト９ｂは、ベルトクリーニング装置９ｆによって残留トナーを除去および回収され、各感光体ドラム４の表面に形成された各色のトナー像が順次転写して重ね合わされて、中間転写ベルト９ｂの表面にカラーのトナー像が形成される。
【００２３】
２次転写装置１０の転写ローラ１０ａは、中間転写ベルト９ｂとの間にニップ域が形成されており、用紙搬送路Ｓを通じて搬送されて来た用紙をニップ域に挟み込んで搬送する。用紙は、ニップ域を通過する際に、中間転写ベルト９ｂの表面のトナー像が転写されて定着装置１１に搬送される。
【００２４】
定着装置１１は、用紙を挟んで回転する定着ローラ１１ａおよび加圧ローラ１１ｂを備えている。定着装置１１は、定着ローラ１１ａおよび加圧ローラ１１ｂの間のニップ部にトナー像が転写された用紙を挟み込んで加熱および加圧し、トナー像を用紙に定着させる。定着装置１１には、定着ローラ１１ａが加熱する加熱部１１ｃが設けられている。
【００２５】
給紙装置３０は、画像形成に使用する用紙を第１載置部４１、第２載置部４２、および第３載置部４３に蓄積しており、光走査装置６の下側に設けられている。給紙装置３０から供給された用紙は、用紙搬送路Ｓを通じて搬送され、２次転写装置１０や定着装置１１を経由し、排紙ローラ１４ｆを介して積載トレイ１３へと搬出される。なお、給紙装置３０については、後述する図２ないし図４を参照して、詳細に説明する。
【００２６】
用紙搬送路Ｓには、用紙を一旦停止させて、用紙の先端を揃えた後、中間転写ベルト９ｂと転写ローラ１０ａとの間のニップ域でのカラーのトナー像の転写タイミングに合わせて用紙の搬送を開始するレジストローラ１４ｅ、用紙の搬送を促す搬送ローラ１４ｄ、排紙ローラ１４ｆ、および反転搬送ローラ１４ｇが配置されている。
【００２７】
また、用紙の表面だけでなく、裏面に画像形成を行う場合は、用紙を排紙ローラ１４ｆから反転経路Ｓｒへと逆方向に搬送して、用紙の表裏を反転させ、用紙をレジストローラ１４ｅへと再度導き、表面と同様にして裏面に画像形成を行い、用紙を積載トレイ１３へと搬出する。
【００２８】
図２は、本発明の第１実施形態に係る給紙装置の外観正面図である。
【００２９】
本発明の第１実施形態に係る給紙装置３０は、互いに並列に配置され、用紙が載置される第１載置部４１および第２載置部４２と、第１載置部４１および第２載置部４２を内部に収納する筐体３１とを備えている。
【００３０】
筐体３１は、内部が空洞とされた直方体状に形成され、前面が開口している。筐体３１の前面には、筐体３１から独立した前パネル３３が設けられ、筐体３１の前面を覆っている。具体的に、筐体３１は、筐体下面３１ａ、筐体上面３１ｂ、第１筐体側面３１ｅ、筐体背面３１ｄ（後述する図４参照）、および第２筐体側面３１ｃで構成されている。筐体下面３１ａには、第１レール３４ａを介して第１載置部４１が載置され、第２レール３４ｂを介して第２載置部４２が載置されている。筐体上面３１ｂは、筐体下面３１ａに対して高さ方向Ｚで対向している。筐体３１の側面は、横方向Ｘで第１筐体側面３１ｅ（図２では、左側）と第２筐体側面３１ｃ（図２では、右側）とが対向しており、奥行方向Ｙ（後述する図４参照）で筐体背面３１ｄ（図４では、上側）と開口された前面（図４では、下側）とが対向している。第１載置部４１および第２載置部４２は、横方向Ｘで対向して配置されており、それぞれ前パネル３３と面している。第１載置部４１は、第１筐体側面３１ｅ側に配置され、第２載置部４２は、第２筐体側面３１ｃ側に配置されている。
【００３１】
前パネル３３は、外側面に操作部３２が設けられ、第１レール３４ａおよび第２レール３４ｂを介して筐体３１と繋がっており、奥行方向Ｙへ引くことで筐体３１から離間する。操作部３２は、例えば取っ手であって、ユーザが掴むことで前パネル３３を動かすことができる。なお、操作部３２の構造は、これに限定されず、前パネル３３に設けた凹部とするなど、適宜形状を変更してもよい。また、操作部３２を操作して前パネル３３を動かした状態については、後述する図７Ａおよび図７Ｂを参照して、詳細に説明する。
【００３２】
図３は、図２から前パネルを取り外した状態を示す内部図であって、図４は、本発明の第１実施形態に係る給紙装置の概略上面図であって、図５Ａは、図４の矢符Ａ−Ａでの断面図である。なお、図面の見易さを考慮して、図４では、筐体上面３１ｂを透視的に示しており、図５Ａでは、第１係止側側板４１ｂを透視的に示している。また、図５Ａや他の断面図では、操作部３２が見えない視点となっているが、説明のため、対応する位置に投影した操作部３２を示している。
【００３３】
筐体３１の内部には、２つの第１レール３４ａ、２つの第２レール３４ｂ、第１載置部４１、第２載置部４２、第１給紙部５１、第２給紙部５２、第１係止部６０、および第２係止部７０が収納されている。
【００３４】
２つの第１レール３４ａは、伸縮自在とされた長尺状のレールであって、奥行方向Ｙを長手方向として筐体下面３１ａに接続され、横方向Ｘで互いに離間して並べられている。また、２つの第１レール３４ａは、それぞれ端部が前パネル３３に接続されており、前パネル３３が動くのに応じて伸縮する。２つの第２レール３４ｂは、第１レール３４ａと同様の構造とされており、説明を省略する。なお、本実施の形態では、第１レール３４ａおよび第２レール３４ｂをそれぞれ２つ設けた構成としたが、これに限定されず、第１レール３４ａおよび第２レール３４ｂの数を適宜変更してもよい。また、第１レール３４ａおよび第２レール３４ｂが伸縮した状態については、後述する図７Ａおよび図７Ｂを参照して、詳細に説明する。
【００３５】
第１給紙部５１は、第１ピックアップローラ５１ａと、第１分離ローラ対５１ｂとで構成されており、第１載置部４１の上方に位置している。第１ピックアップローラ５１ａは、第１載置部４１に載置された用紙を、用紙搬送路Ｓの第１供給路Ｓ１に供給する呼び込みローラである。第１分離ローラ対５１ｂは、第１ピックアップローラ５１ａから供給された用紙を２つのローラで挟持することによって、用紙を１枚ずつ分離して第１供給路Ｓ１へと搬送する。なお、図面では省略しているが、第１給紙部５１（第１ピックアップローラ５１ａおよび第１分離ローラ対５１ｂ）は、筐体３１に適宜軸支されていればよい。また、第１給紙部５１は、筐体３１に換えて第１載置部４１に軸支された構造としてもよい。
【００３６】
第２給紙部５２は、第１給紙部５１と同様の構成とされ、第２ピックアップローラ５２ａと、第２分離ローラ対５２ｂとで構成されており、第２載置部４２の上方に位置している。従って、第２給紙部５２は、第１給紙部５１と同様にして、第２載置部４２に載置された用紙を、用紙搬送路Ｓの第２供給路Ｓ２へ１枚ずつ分離して搬送する。なお、図面では省略しているが、第２給紙部５２は、筐体３１または第２載置部４２に軸支された構造とすればよい。
【００３７】
図３において、第１給紙部５１は、第２給紙部５２よりも上方に位置しており、第１供給路Ｓ１は、第２載置部４２および第２給紙部５２の上方を通過した後、第２筐体側面３１ｃ近傍で第２供給路Ｓ２と合流する構成とされている。筐体３１（例えば、筐体上面３１ｂおよび筐体下面３１ａ）には、第１供給路Ｓ１および第２供給路Ｓ２の位置に応じて、開口部などが形成されていればよい。そして、用紙は、開口部を通じて、画像形成部３側の用紙搬送路Ｓへ給紙される。
【００３８】
第１載置部４１は、第１載置板４１ａ、第１係止側側板４１ｂ、第１背面側側板４１ｃ、および第１対向側板４１ｄで構成されている。第１載置板４１ａは、矩形状の平板であって、第１レール３４ａの上に載置されており、用紙が積載される。第１係止側側板４１ｂ、第１背面側側板４１ｃ、および第１対向側板４１ｄは、第１載置板４１ａの上面における３つの側辺に沿って、それぞれ立設されている。具体的に、第１係止側側板４１ｂは、略矩形状の平板であって、第１筐体側面３１ｅ側の側辺（図４では、第１載置板４１ａの左辺）に沿って設けられ、第１筐体側面３１ｅに対向するように配置されている。また、第１係止側側板４１ｂは、第１筐体側面３１ｅと対向する面に第１係止部６０が接続されている。第１背面側側板４１ｃは、略矩形状の平板であって、筐体背面３１ｄ側の側辺（図４では、第１載置板４１ａの上辺）に沿って設けられ、筐体背面３１ｄに対向するように配置されている。第１対向側板４１ｄは、略矩形状の平板であって、第２載置部４２側の側辺（図４では、第１載置板４１ａの右辺）に沿って設けられ、第２載置部４２の第２対向側板４２ｄに対向するように配置されている。第１載置部４１と第１レール３４ａとは、固定されておらず、連結機構８０を介して連結されている。そのため、第１載置部４１は、第１レール３４ａが伸縮した際、第１レール３４ａの上で滑動する構成とされている。なお、連結機構８０については、後述する図６Ａおよび図６Ｂを参照して、詳細に説明する。
【００３９】
第２載置部４２は、第１載置部４１と略同様の構造とされ、第２載置板４２ａ、第２係止側側板４２ｂ、第２背面側側板４２ｃ、および第２対向側板４２ｄで構成されている。つまり、第２載置板４２ａは、第１載置板４１ａに相当し、第２係止側側板４２ｂは、第１係止側側板４１ｂに相当し、第２背面側側板４２ｃは、第１背面側側板４１ｃに相当し、第２対向側板４２ｄは、第１対向側板４１ｄに相当しており、第２係止側側板４２ｂと第２対向側板４２ｄとの位置が入れ替わっている点で相違している。つまり、第２係止側側板４２ｂは、第２筐体側面３１ｃ側の側辺（図４では、第２載置板４２ａの右辺）に沿って設けられ、第２筐体側面３１ｃに対向するように配置されている。そして、第２対向側板４２ｄは、第１載置部４１側の側辺（図４では、第２載置板４２ａの左辺）に沿って設けられ、第１載置部４１の第１対向側板４１ｄに対向するように配置されている。また、第２係止側側板４２ｂは、第２筐体側面３１ｃと対向する面に第２係止部７０が接続されている。第２載置部４２は、第１載置部４１と同様に、第２レール３４ｂと固定されておらず、後述する連結機構８０を介して連結されている。
【００４０】
第１載置部４１および第２載置部４２については、上述した構造に限定されず、例えば、第１載置板４１ａの全ての側辺に側板が立設された構造としてもよい。また、第１係止側側板４１ｂ、第１背面側側板４１ｃ、および第１対向側板４１ｄなどは、それぞれ分離した構造とされていたが、隣接した側板と端部で連続させるなど、形状を適宜変更してもよい。
【００４１】
第１係止部６０は、第１係止ブロック６１、第１係止レバー６２、および第１作動部６３で構成されている。第１係止ブロック６１は、略矩形状とされ、周囲より上方へ突出した係止凸部６１ａが設けられており、第１係止側側板４１ｂの前パネル３３側上部（図５Ａでは、左上部）に固定されている。第１係止レバー６２は、レバー軸６２ａを介して、長尺状のレバー揺動部６２ｂが第１筐体側面３１ｅに軸支されている。従って、第１係止レバー６２は、レバー軸６２ａを中心にして回動する構成とされている。レバー揺動部６２ｂの一端には、下方へ延伸した揺動係止部６２ｃが設けられている。図５Ａにおいて、揺動係止部６２ｃは、係止凸部６１ａと当接し、第１係止ブロック６１を係止した状態とされている。レバー揺動部６２ｂの他端には、延伸されて第１作動部６３と当接するレバー連結部６２ｄが設けられている。第１作動部６３は、第１筐体側面３１ｅに固定され、ソレノイドによって駆動し、オン（駆動）とオフ（非駆動）とを切り替えることで、端部に設けられた作動連結部６３ａを出し入れ（伸縮）する。そして、作動連結部６３ａとレバー連結部６２ｄとが連結した構成とされている。つまり、第１係止部６０は、第１筐体側面３１ｅ（筐体３１）に軸支された第１係止レバー６２と、第１係止側側板４１ｂ（第１載置部４１）に固定された第１係止ブロック６１とによって、第１載置部４１と筐体３１とを係止する構成とされている。
【００４２】
第２係止部７０は、第１係止部６０と同様の構成とされ、第２係止ブロック７１、第２係止レバー７２、および第２作動部７３が設けられている。なお、第２係止部７０の各部の構造については、第１係止部６０と同様であるので、図面を省略し、相違する点について説明する。第２係止ブロック７１は、第２係止側側板４２ｂに固定されている。第２係止レバー７２は、第１筐体側面３１ｅに軸支され、回動自在とされている。第２作動部７３は、第２筐体側面３１ｃに固定され、作動することで第２係止レバー７２を回動させる。つまり、第２係止部７０は、第２筐体側面３１ｃ（筐体３１）に軸支された第２係止レバー７２と、第２係止側側板４２ｂ（第２載置部４２）に固定された第２係止ブロック７１とによって、第２載置部４２と筐体３１とを係止する構成とされている。
【００４３】
図５Ｂは、第１作動部を作動させた状態を示す説明図である。
【００４４】
図５Ｂは、図５Ａに示す状態から第１作動部６３を作動させ、作動連結部６３ａを伸ばした状態を示している。作動連結部６３ａを伸ばすことによって、第１係止レバー６２は、レバー軸６２ａを中心にして回動し、揺動係止部６２ｃが矢符Ｄの方向へ浮き上がる。それによって、揺動係止部６２ｃと係止凸部６１ａとが離間し、第１係止ブロック６１の係止が解除される。すなわち、第１載置部４１と筐体３１との係止は解除されている。なお、第２係止部７０でも、第１係止部６０と同様に、第２作動部７３を作動させて、第２載置部４２と筐体３１との係止を解除することができる。また、第１係止部６０および第２係止部７０は、例えば、画像形成装置１（給紙装置３０）に設けられたＣＰＵ（制御部）によって、作動するかどうかを制御されている。
【００４５】
次に、第１載置部４１（第２載置部４２）と第１レール３４ａ（第２レール３４ｂ）とを連結する連結機構８０について、図面を参照して説明する。
【００４６】
図６Ａは、連結された連結機構を示す概略図であって、図６Ｂは、離間した連結機構を示す概略図である。
【００４７】
連結機構８０は、互いに独立した球体部８１と挟持部８２とで構成されている。球体部８１は、先端に球状とされた球状端８１ａが形成され、球状端８１ａから球体連結部８１ｂが延伸されている。挟持部８２は、先端に一部が欠けた環状とされた環状端８２ａが形成され、環状端８２ａから挟持連結部８２ｂが延伸されている。環状端８２ａは、内円が球状端８１ａと略同径とされており、図６Ａにおいて、球状端８１ａを掴むように挟持している。本実施の形態において、球体連結部８１ｂは、第１レール３４ａに固定され、挟持連結部８２ｂは、第１載置部４１に固定されているが、これに限定されず、球体部８１および挟持部８２のうち、いずれか一方が第１レール３４ａに固定され、他方が第１載置部４１に固定されていればよい。なお、第２載置部４２および第２レール３４ｂは、第１載置部４１および第１レール３４ａと同様にして、連結機構８０を介して連結されている。
【００４８】
図６Ａに示すように、球体部８１と挟持部８２とが連結された状態では、第１レール３４ａを動かすと、連結機構８０を介して第１載置部４１が牽引される。ところで、図５Ａに示すように、第１載置部４１を第１係止部６０によって係止した状態では、第１レール３４ａを動かして球体部８１を引く力Ｆ１に対して、第１載置部４１の位置を留める力Ｆ２が加わる。その結果、球体部８１と挟持部８２とにそれぞれ相反する力が加わった際には、球状端８１ａが環状端８２ａの欠けた部分から抜けて、図６Ｂのように、球体部８１と挟持部８２とが離間し、第１載置部４１と第１レール３４ａとの連結が解除される。なお、図６Ｂに示す状態から、球状端８１ａを環状端８２ａの欠けた部分から押込むことで、球状端８１ａは環状端８２ａに挟持されて、図６Ａに示す状態に戻る。
【００４９】
上述したように、第１載置部４１は、筐体３１に対して引き出しを規制されたロック状態と、筐体３１に対して引き出し自在とされた解除状態とを、第１係止部６０の係止によって切り替えられる構成とされている。そこで、操作部３２を操作して前パネル３３を動かした（引き出した）状態について、図面を参照して説明する。
【００５０】
図７Ａは、第１実施形態において、第１載置部が解除状態とされた際に、操作部を操作した状態を示す説明図である。
【００５１】
図７Ａは、図５Ｂに示す状態から操作部３２を操作した状態を示している。第１載置部４１と筐体３１との係止が解除された状態では、前パネル３３を奥行方向Ｙへ引き出すと、第１レール３４ａが伸びる。図６Ａに示すように、第１載置部４１と第１レール３４ａとは、連結機構８０によって連結されており、第１載置部４１は、第１レール３４ａに併せて筐体３１の外部へ引き出される。つまり、第１載置部４１と筐体３１との係止を解除することで、第１載置部４１は、筐体３１に対して引き出し自在とされた解除状態とされている。
【００５２】
図７Ｂは、第１実施形態において、第１載置部がロック状態とされた際に、操作部を操作した状態を示す説明図である。
【００５３】
図７Ｂは、図５Ａに示す状態から操作部３２を操作した状態を示している。図７Ｂでは、図７Ａと同様に、前パネル３３を奥行方向Ｙへ引き出すことで、第１レール３４ａが伸びている。第１載置部４１と筐体３１とを係止した状態では、図６Ｂに示すように、第１載置部４１と第１レール３４ａとの連結が解除され、第１載置部４１は、筐体３１の内部に留まる。つまり、第１載置部４１と筐体３１とを係止することで、第１載置部４１は、筐体３１に対して引き出しを規制されたロック状態とされている。なお、図７Ｂに示す状態から、前パネル３３を筐体３１側へ押込むことで、連結機構８０は連結されるが、第１係止部６０が第１載置部４１を係止している間、第１載置部４１を引き出すことはできない。
【００５４】
また、第２載置部４２は、第１載置部４１と同様にして、ロック状態と解除状態とを、第２係止部７０の係止によって切り替えられる構成とされている。つまり、図７Ａのように、第２載置部４２は、第２係止部７０に係止されていなければ、解除状態となるので筐体３１から引き出すことができる。さらに、図７Ｂのように、第２載置部４２が第２係止部７０に係止されていると、ロック状態となるので筐体３１からの引き出しが規制される。
【００５５】
図８Ａは、第１実施形態において、筐体から第１載置部が引き出された状態を示す説明図である。
【００５６】
図８Ａは、図４に示す状態から、第１載置部４１だけを筐体３１の外部に引き出した状態を示している。この際、第１載置部４１は解除状態とされ、第２載置部４２はロック状態とされている。
【００５７】
図８Ｂは、第１実施形態において、筐体から第１載置部および第２載置部が引き出された状態を示す説明図である。
【００５８】
図８Ｂは、図４に示す状態から、第１載置部４１と第２載置部４２との両方を筐体３１の外部に引き出した状態を示している。この際、第１載置部４１および第２載置部４２は解除状態とされている。
【００５９】
なお、図面は省略するが、第１載置部４１をロック状態とし、第２載置部４２を解除状態とすることで、第２載置部４２だけを引き出すことができる。上述したように、第１係止部６０および第２係止部７０を適宜作動させることで、第１載置部４１および第２載置部４２の状態を切り替えることができ、第１載置部４１および第２載置部４２のうち、いずれを引き出し自在とするかどうかを選択できる。すなわち、ユーザは、操作部３２を操作することで第１載置部４１および／または第２載置部４２を筐体３１の外部に引き出すことができる。本実施の形態において、第１載置部４１および第２載置部４２は、用紙搬送路Ｓへ用紙を給紙する指示（給紙指示）に基づいて、解除状態またはロック状態のいずれとするかを制御されている。給紙指示を受けたかどうかについては、制御部によって判断すればよい。
【００６０】
図２では、第１載置部４１および第２載置部４２を収納した筐体３１を示したが、給紙装置３０には、さらに、用紙が載置される第３載置部４３（図１参照）と、第３載置部４３から用紙搬送路Ｓへ用紙を給紙する第３給紙部５３とを設けてもよい。そこで、第３載置部４３を備えた筐体３１の変形例について説明する。
【００６１】
図９は、筐体の変形例を示す概略外観図である。
【００６２】
変形例において、筐体３１には、前パネル３３に加えて、追加パネル３５が設けられている。追加パネル３５には、操作部３２と同様の形状とされた追加操作部３６が設けられている。追加操作部３６は、操作部３２と同様にして、操作することで第３載置部４３を引き出す構成とされている。つまり、変形例では、操作部３２に第１載置部４１および第２載置部４２が対応しており、追加操作部３６に第３載置部４３が対応している。従って、第１載置部４１および／または第２載置部４２を引き出しても、第３載置部４３の給紙には影響せず、第３載置部４３を引き出しても、第１載置部４１および第２載置部４２の給紙には影響しない。
【００６３】
次に、給紙装置３０で用紙を給紙する際の処理について、図面を参照して説明する。
【００６４】
図１０は、本発明の第１実施形態に係る給紙装置で用紙を給紙する際の処理を示す処理フロー図である。
【００６５】
給紙装置３０は、処理の開始時において、給紙指示をされていない状態となっている。
【００６６】
ステップＳ０１では、第１係止部６０および第２係止部７０によって、第１載置部４１および第２載置部４２の両方を解除状態とする。つまり、この状態では、図８Ｂのように、操作部３２を操作することで、第１載置部４１および第２載置部４２の両方を筐体３１の外部に引き出すことができる。
【００６７】
ステップＳ０２では、給紙指示をされたかどうかを判断する。その結果、給紙指示がされた場合（ステップＳ０２：Ｙｅｓ）には、ステップＳ０３へ進む。一方、給紙指示がされない場合（ステップＳ０２：Ｎｏ）には、給紙指示がされるまで待機する。
【００６８】
ステップＳ０３では、第１給紙部５１への給紙指示かどうかを判断する。その結果、第１給紙部５１への給紙指示である場合（ステップＳ０３：Ｙｅｓ）には、ステップＳ０４へ進む。一方、第１給紙部５１への給紙指示でない場合（ステップＳ０３：Ｎｏ）には、ステップＳ０５へ進む。
【００６９】
ステップＳ０４では、第１係止部６０によって、第１載置部４１をロック状態とする。つまり、第１係止部６０は、図５Ａに示すように、第１載置部４１を係止して引き出しを規制する。ここで、第２載置部４２は、解除状態であって、引き出し自在とされている。
【００７０】
ステップＳ０５では、第２給紙部５２への給紙指示かどうかを判断する。その結果、第２給紙部５２への給紙指示である場合（ステップＳ０５：Ｙｅｓ）には、ステップＳ０６へ進む。一方、第２給紙部５２への給紙指示でない場合（ステップＳ０５：Ｎｏ）には、ステップＳ０７へ進む。
【００７１】
ステップＳ０６では、第２係止部７０によって、第２載置部４２をロック状態とする。つまり、第２係止部７０は、第２載置部４２を係止して引き出しを規制する。ここで、第１載置部４１は、解除状態であって、引き出し自在とされている。
【００７２】
ステップＳ０７では、第１給紙部５１および第２給紙部５２以外の、他の給紙部への給紙指示であると判断する。つまり、画像形成装置１は、複数の載置部および給紙部を備えた構成としてもよく、例えば、第３給紙部５３への給紙指示であると判断される。ここで、第１載置部４１および第２載置部４２は、解除状態であって、引き出し自在とされている。
【００７３】
ステップＳ０８では、指示された給紙部で給紙を実施する。すなわち、第１給紙部５１、第２給紙部５２、および第３給紙部５３などの給紙部によって、用紙搬送路Ｓへ用紙を給紙する。そして、給紙が終了すると、ステップＳ０１へ戻り、処理を繰り返す。
【００７４】
上述したように、第１給紙部５１が給紙している際（例えば、ステップＳ０４）には、第１載置部４１がロック状態とされて、第２載置部４２が解除状態とされ、第２給紙部５２が給紙している際（例えば、ステップＳ０６）には、第１載置部４１が解除状態とされて、第２載置部４２がロック状態とされる。このように、第１載置部４１および第２載置部４２のうち、一方は、用紙を給紙していないので、解除状態で引き出し自在とされ、他方は、用紙を給紙しているので、ロック状態で引き出しが規制される。従って、用紙を給紙している際でも、第１載置部４１および第２載置部４２の一方を引き出すことができ、給紙を止めることなく用紙を補充することができる。また、第１係止部６０および第２係止部７０によって、第１載置部４１および第２載置部４２の状態が自動的に切り替えられるので、第１給紙部５１および第２給紙部５２のいずれが給紙しているかを、ユーザに確認させなくてもよい。つまり、ユーザは、用紙の給紙中であっても、操作部３２を操作するだけで、用紙の給紙に影響しない載置部（第１載置部４１または第２載置部４２）を引き出すことができる。
【００７５】
また、第１載置部４１および第２載置部４２が筐体３１に係止される構造とされているので、第１係止部６０および第２係止部７０は、第１載置部４１または第２載置部４２と筐体３１との間に設ければよく、筐体３１を介して容易に駆動力（電力）を供給することができる。また、第１係止部６０および第２係止部７０を筐体３１に固定することができるので、第１係止部６０および第２係止部７０が引き出されることを考慮する必要が無い。
【００７６】
また、第３給紙部５３が給紙している際（例えば、ステップＳ０７）には、第１載置部４１および第２載置部４２が解除状態とされる。従って、第３給紙部５３が給紙している際には、第１載置部４１および第２載置部４２の両方を併せて引き出すことができ、効率よく用紙を補充することができる。
【００７７】
（第２実施形態）
次に、本発明の第２実施形態に係る給紙装置について、図面を参照して説明する。なお、第２実施形態は、第１実施形態と略同様であるので、外観図などを省略し、第１実施形態と機能が実質的に等しい構成要素については、同一の符号を付して説明を省略する。
【００７８】
第２実施形態では、第１実施形態に対して、第１載置部４１および第２載置部４２に載置された用紙の残量（用紙残量）を検知する点で異なる。具体的に、本発明の第２実施形態に係る給紙装置３０は、第１載置部４１および第２載置部４２に載置された用紙の枚数をそれぞれ検知する枚数検知部を備えている。第１載置部４１および第２載置部４２は、枚数検知部によって検知された枚数が予め設定された規定枚数以上の場合、ロック状態とされ、枚数検知部によって検知された枚数が規定枚数未満の場合、解除状態とされる。
【００７９】
枚数検知部は、第１載置部４１および第２載置部４２に設けられていればよく、例えば、第１載置板４１ａおよび第２載置板４２ａの高さを検知するセンサである。つまり、第１載置部４１および第２載置部４２は、用紙を給紙する際に、第１載置板４１ａおよび第２載置板４２ａを上昇させる構成とされており、第１ピックアップローラ５１ａおよび第２ピックアップローラ５２ａに、最上段の用紙が当接すると、第１載置板４１ａおよび第２載置板４２ａを停止させる。その結果、第１載置板４１ａおよび第２載置板４２ａが停止した位置によって、第１載置板４１ａおよび第２載置板４２ａの上に載置された用紙の高さを把握することができ、枚数検知部は、用紙残量を検知する。本実施の形態において、第１載置部４１および第２載置部４２は、用紙を１０００枚載置できる構成とされており、規定枚数は１００枚とされている。なお、第１載置板４１ａおよび第２載置板４２ａ全体を上昇させる構造とする換わりに、用紙の一部を持ち上げる上昇板を設けた構造としてもよい。この場合には、センサによって上昇板の高さを検知すればよい。
【００８０】
図１１は、本発明の第２実施形態に係る給紙装置での処理を示す処理フロー図である。
【００８１】
図１１に示す処理は、給紙指示がされていない待機中に実施される。給紙指示がされた際には、図１０に示す処理を実施すればよい。
【００８２】
ステップＳ１１では、枚数検知部によって、用紙残量を検知する。ここで、用紙残量を検知する際は、第１載置部４１および第２載置部４２を動作させて用紙の枚数を検知してもよい。また、用紙を給紙した際に用紙の枚数を検知して、用紙残量を記憶する構成としてもよく、待機中においては、待機する前に記憶した用紙残量に基づいて判断すればよい。
【００８３】
ステップＳ１２では、第１載置部４１だけが規定枚数以上かどうかを判断する。その結果、第１載置部４１だけが規定枚数以上である場合（ステップＳ１２：Ｙｅｓ）には、ステップＳ１３へ進む。一方、第１載置部４１だけが規定枚数以上ではない場合（ステップＳ１２：Ｎｏ）には、ステップＳ１４へ進む。
【００８４】
ステップＳ１３では、第１係止部６０によって、第１載置部４１をロック状態とする。つまり、第１係止部６０は、第１載置部４１を係止して引き出しを規制する。ここで、第２載置部４２は、解除状態であって、引き出し自在とされている。
【００８５】
ステップＳ１４では、第２載置部４２だけが規定枚数以上かどうかを判断する。その結果、第２載置部４２だけが規定枚数以上である場合（ステップＳ１４：Ｙｅｓ）には、ステップＳ１５へ進む。一方、第２載置部４２だけが規定枚数以上ではない場合（ステップＳ１４：Ｎｏ）には、ステップＳ１６へ進む。
【００８６】
ステップＳ１５では、第２係止部７０によって、第２載置部４２をロック状態とする。つまり、第２係止部７０は、第２載置部４２を係止して引き出しを規制する。ここで、第１載置部４１は、解除状態であって、引き出し自在とされている。
【００８７】
ステップＳ１６では、第１載置部４１および第２載置部４２の両方が規定枚数以上かどうかを判断する。その結果、第１載置部４１および第２載置部４２の両方が規定枚数以上である場合（ステップＳ１６：Ｙｅｓ）には、ステップＳ１７へ進む。一方、第１載置部４１および第２載置部４２の両方が規定枚数以上ではない場合（ステップＳ１６：Ｎｏ）には、ステップＳ１８へ進む。
【００８８】
ステップＳ１７では、第１係止部６０および第２係止部７０によって、第１載置部４１および第２載置部４２の両方をロック状態とする。
【００８９】
ステップＳ１８では、第１係止部６０および第２係止部７０によって、第１載置部４１および第２載置部４２の両方を解除状態とする。
【００９０】
ステップＳ１３、ステップＳ１５、ステップＳ１７、およびステップＳ１８の後、ステップＳ１１へ戻って、処理を繰り返す。なお、ステップＳ１１へ戻る際には、予め設定された時間が経過するまで待機してもよく、給紙を実施した後に戻ってもよい。
【００９１】
本実施の形態では、載置された用紙の枚数に応じて、第１載置部４１および第２載置部４２の状態が切り替えられるので、用紙の補充を要する載置部を適宜引き出すことができる。
【００９２】
（第３実施形態）
次に、本発明の第３実施形態に係る給紙装置について、図面を参照して説明する。なお、第３実施形態は、第１実施形態と略同様であるので、第１実施形態および第２実施形態と機能が実質的に等しい構成要素については、同一の符号を付して説明を省略する。
【００９３】
図１２は、本発明の第３実施形態に係る給紙装置から前パネルを取り外した状態を示す内部図であって、図１３は、本発明の第３実施形態に係る給紙装置の概略上面図であって、図１４は、図１３の矢符Ｂ−Ｂでの断面図である。なお、図面の見易さを考慮して、図１３では、筐体上面３１ｂを透視的に示しており、図１４では、第１係止側側板４１ｂを透視的に示している。
【００９４】
第３実施形態は、第１実施形態に対して、第１載置部４１および第２載置部４２と操作部３２（前パネル３３）とを係止する構造とされている点で異なる。具体的に、第１係止部６０において、第１係止ブロック６１は前パネル３３の内側面に固定されており、第１係止レバー６２は第１係止側側板４１ｂに軸支され、第１作動部６３は第１係止側側板４１ｂに固定されている。
【００９５】
上述したように、第１係止部６０は、第１係止側側板４１ｂ（第１載置部４１）に軸支された第１係止レバー６２と、前パネル３３（操作部３２）に固定された第１係止ブロック６１とによって、第１載置部４１と操作部３２とを係止する構成とされている。また、第２係止部７０は、第１係止部６０と同様に、第２係止側側板４２ｂ（第２載置部４２）に軸支された第２係止レバー７２と、前パネル３３（操作部３２）に固定された第２係止ブロック７１とによって、第２載置部４２と操作部３２とを係止する構成とされている。
【００９６】
なお、第３実施形態において、第１載置部４１（第２載置部４２）と第１レール３４ａ（第２レール３４ｂ）との間には、連結機構８０が設けられていない。連結機構８０を設ける場合、例えば、第１載置部４１および第２載置部４２と筐体３１との間に設ければよい。それによって、第１載置部４１および第２載置部４２は、筐体３１の内部に留まるように連結機構８０と連結される。
【００９７】
図１５Ａは、第３実施形態において、第１載置部が解除状態とされた際に、操作部を操作した状態を示す説明図である。
【００９８】
図１５Ａは、図１４に示す状態から操作部３２を操作した状態を示している。第１載置部４１と前パネル３３とが係止された状態では、前パネル３３を奥行方向Ｙへ引き出すと、第１載置部４１は、前パネル３３に併せて筐体３１の外部へ引き出される。つまり、第１載置部４１と操作部３２とを係止することで、第１載置部４１は、筐体３１に対して引き出し自在とされた解除状態とされている。
【００９９】
図１５Ｂは、第３実施形態において、第１載置部がロック状態とされた際に、操作部を操作した状態を示す説明図である。
【０１００】
図１５Ｂは、第１係止部６０の係止を解除した状態から、操作部３２を操作した状態を示している。第１載置部４１と前パネル３３との係止が解除された状態では、前パネル３３を奥行方向Ｙへ引き出すと、第１載置部４１と前パネル３３とが連結されていないため、第１載置部４１は、筐体３１の内部に留まる。つまり、第１載置部４１と操作部３２との係止を解除することで、第１載置部４１は、筐体３１に対して引き出しを規制されたロック状態とされている。
【０１０１】
上述したように、第２載置部４２は、第１載置部４１と同様にして、ロック状態と解除状態とを、第２係止部７０の係止によって切り替えられる構成とされている。つまり、図１５Ａのように、第２載置部４２は、第２係止部７０に係止されていれば、解除状態となるので筐体３１から引き出すことができる。さらに、図１５Ｂのように、第２載置部４２が第２係止部７０に係止されていなければ、ロック状態となるので筐体３１からの引き出しが規制される。
【０１０２】
図１６は、第３実施形態において、筐体から第１載置部が引き出された状態を示す説明図である。
【０１０３】
図１６は、図１３に示す状態から、第１載置部４１だけを筐体３１の外部に引き出した状態を示している。この際、第１載置部４１は解除状態とされ、第２載置部４２はロック状態とされている。
【０１０４】
上述したように、第１載置部４１および第２載置部４２が操作部３２に係止される構造とされているので、第１載置部４１および第２載置部４２と操作部３２とを容易に連結できる構成とすることができる。
【０１０５】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【０１０６】
１  画像形成装置
３０  給紙装置
３１  筐体
３２  操作部
４１  第１載置部
４２  第２載置部
５１  第１給紙部
５２  第２給紙部
６０  第１係止部
７０  第２係止部
Ｓ  用紙搬送路
Ｘ  横方向
Ｙ  奥行方向
Ｚ  高さ方向
【図１】
0006533093.tif 000002
【図２】
0006533093.tif 000003
【図３】
0006533093.tif 000004
【図４】
0006533093.tif 000005
【図５Ａ】
0006533093.tif 000006
【図５Ｂ】
0006533093.tif 000007
【図６Ａ】
0006533093.tif 000008
【図６Ｂ】
0006533093.tif 000009
【図７Ａ】
0006533093.tif 000010
【図７Ｂ】
0006533093.tif 000011
【図８Ａ】
0006533093.tif 000012
【図８Ｂ】
0006533093.tif 000013
【図９】
0006533093.tif 000014
【図１０】
0006533093.tif 000015
【図１１】
0006533093.tif 000016
【図１２】
0006533093.tif 000017
【図１３】
0006533093.tif 000018
【図１４】
0006533093.tif 000019
【図１５Ａ】
0006533093.tif 000020
【図１５Ｂ】
0006533093.tif 000021
【図１６】
0006533093.tif 000022